(57)【要約】【課題】所定箇所が押圧されることにより電子機器の所定の動作がなされるタッチパネル部と、タッチパネル部の外周縁の枠部に設けられた操作部からなる電子機器において、操作部には弾性を有するシートを設け、タッチパネルの無検知領域には絶縁シートを介在して、タッチパネルの所定箇所以外への押圧による誤動作が防止でき、操作クリック感が得られる品質を向上した装置にすることを課題とする。【解決手段】操作部はタッチパネル上に設けられたものであって、操作部には操作されることによりタッチパネル上の所定箇所を押圧する操作釦が設けられてなることを特徴とする。【選択図】　図１
2004102813.tif 000002
【特許請求の範囲】
【請求項１】
画像を表示し、所定箇所が押圧されることにより電子機器の所定の動作がなされるタッチパネル部と、前記タッチパネル部の外周縁に設けられた枠部と、枠部に設けられた操作部とからなる電子機器において、
前記操作部は前記タッチパネル上に設けられたものであって、該操作部には操作されることにより該タッチパネル上の所定箇所を押圧する操作釦が設けられてなることを特徴とする電子機器。
【請求項２】
前記操作部には前記操作釦に弾性力を与えるシートが設けられてなることを特徴とする請求項１記載の電子機器。
【請求項３】
前記タッチパネル部の所定箇所には、その押圧により電子機器の所定の動作がなされないよう無検知領域が設けられてなることを特徴とする請求項１記載の電子機器。
【請求項４】
画像を表示し、所定箇所が押圧されることにより電子機器の所定の動作がなされるタッチパネル部を有する電子機器において、
前記タッチパネル上には操作釦であることを示す操作釦部を有するシートが設けられ、前記シートの操作釦部を操作することにより、前記タッチパネルの所定箇所が押圧されてなることを特徴とする電子機器。
【請求項５】
前記シートの操作釦部には前記タッチパネルの所定箇所を押圧する突出部を備え、前記シートは押圧動作を復帰させる弾性を有する球面形状に形成されてなることを特徴とする請求項４記載の電子機器。
【発明の詳細な説明】
【０００１】
【発明の属する技術分野】
本発明は、タッチパネルを備えた電子機器に関する。
【０００２】
【従来の技術】
タッチパネルを備えた電子機器は、一般に、機器本体の前面に電子機器を動作させる操作部と、画像を表示するタッチパネルが配設された表示部が設けられている。このタッチパネルには、２組の抵抗膜が形成された抵抗式のものと、多数の導電パターンが形成された２組の透明シートからなる透明電極式、及び多数の受発光素子からなり光路の遮蔽により操作位置を検出する光学式等のものが用いられている。そして、タッチパネルユニットは、一例として、タッチパネルが配設された画像を表示する液晶表示器等の表示部と、カバーに設置された電気回路基板とハードスイッチ（機械式押釦スイッチ等でなる）を有する操作部とよりなり、それぞれが電子機器の前面枠部に設置されたものが、一般的である。このようなタッチパネルユニットは、部品数を多く必要とし、構造が複雑となるという問題がある。そこで、タッチパネルユニットとして、タッチパネルが配設された表示部の前面に操作部が設置され、操作部のカバーに設けられた操作釦により、タッチパネルを押圧し、電子機器を動作させるようにしたものが提案されている。
【０００３】
【特許文献１】
特開２００１−１００２２６号公報
【特許文献２】
特開平７−５９７５号公報
【０００４】
【発明が解決しようとする課題】
２組の抵抗膜が形成された抵抗式のタッチパネルを有する電子機器においては、操作部に設けられたカバーの縁部等によりタッチパネルが押圧され、誤動作が発生する恐れがあり、タッチパネルが配設された表示部の前面に設けられた操作部の操作釦による押圧感には、操作クリック感が得られないという品質上の問題があった。
【０００５】
本発明は、このような点に鑑みなされたもので、タッチパネルの所定箇所以外への押圧による誤動作を防止し、品質を向上した装置を実現することを課題とする。
【０００６】
【課題を解決するための手段】
上記目的を達成するために、本発明は、画像を表示し、所定箇所が押圧されることにより電子機器の所定の動作がなされるタッチパネル部と、前記タッチパネル部の外周縁に設けられた枠部と、枠部に設けられた操作部とからなる電子機器において、前記操作部は前記タッチパネル上に設けられたものであって、該操作部には操作されることにより該タッチパネル上の所定箇所を押圧する操作釦が設けられてなることを特徴とするものである。
【０００７】
また、前記操作部には前記操作釦に弾性力を与えるシートが設けられてなることを特徴とするものである。
【０００８】
また、前記タッチパネル部の所定箇所には、その押圧により電子機器の所定の動作がなされないよう無検知領域が設けられてなることを特徴とするものである。
【０００９】
また、画像を表示し、所定箇所が押圧されることにより電子機器の所定の動作がなされるタッチパネル部を有する電子機器において、前記タッチパネル上には操作釦であることを示す操作釦部を有するシートが設けられ、前記シートの操作釦部を操作することにより、前記タッチパネルの所定箇所が押圧されてなることを特徴とするものである。
【００１０】
また、前記シートの操作釦部には前記タッチパネルの所定箇所を押圧する突出部を備え、前記シートは押圧動作を復帰させる弾性を有する球面形状に形成されてなることを特徴とするものである。
【００１１】
【発明の実施の形態】
本発明の実施の形態に係る電子機器について、図面を参照して説明する。
【００１２】
図１は本発明の実施の形態に係る電子機器を示す全体構成斜視図で、図２は本発明の第１の実施の形態に係る電子機器を示す詳細断面図で、（ａ）は操作釦の動作前の断面図、（ｂ）は操作釦の動作時の断面図である。
【００１３】
本発明の第１の実施の形態に係る電子機器１０は、一例として、画像を表示する液晶表示器等でなる表示部１９に配設されたタッチパネル１１と、前面枠部１７の左サイドに設置された操作部２０ａと、前面枠部１７の右サイドに設置された操作部２０ｂ等により構成されている。この電子機器１０では、タッチパネル１１が電子機器本体１の前面枠部１７に設置され、専用ペン又は使用者の指等で操作クリック感を有する操作釦２１を押圧操作することで電子機器を動作させることができる。一方、タッチパネル１１上で表示されている釦の上面を押圧操作することで電子機器を動作させることもできる。
【００１４】
タッチパネル１１は、表示部１９に配設されたもので、透明抵抗膜１３を有するプラスチックフィルム１２と、透明抵抗膜１４を有する固定基板のガラス板１５をスペーサ１６等を介して、透明抵抗膜面を対向接着したもので、プラスチックフィルム１２とガラス板１５の二枚一対で構成されている。このタッチパネル１１は、表示部１９に配設された状態で、電子機器本体１の前面枠部１７に支持フレーム１８等を介して設置されている。
【００１５】
尚、本第１の実施の形態に係るものでは、上記のように、抵抗式のものが用いられているが、これにこだわることなく、多数の導電パターンが形成された２組の透明シートからなる透明電極式等の方式を用いても良い。
【００１６】
前面枠部１７の両サイドに設置された各操作部２０ａ、２０ｂは、それぞれ同一機能を有したものなので、左サイドに設置された操作部２０ａについてのみ説明する。尚、本第１の実施の形態に係るものでは、操作部が前面枠部１７の両サイドに設置されているが、これにこだわることなく、どちらか一方にだけ設置するようにしても良い。
【００１７】
操作部２０ａは、電子機器を動作させるためのもので、操作部２０ａを操作することにより電子機器の所定動作がなされる。本例では、前面枠部１７の側壁に回動自在に装着され、電子機器の動作時には、回動して閉じた状態でタッチパネル１１の前面の所定位置に配設され、通常は回動して開いた状態で表示画面を広げて見易くしたものである。この操作部２０ａは、操作釦２１と、操作釦２１が設置されているカバー２６と、カバー２６を回動自在に電子機器本体１の前面枠部１７の側壁に設置している回動部２７と、操作釦２１を弾性体２３とシート２４を介して装着保持するホルダ２８等より構成されている。
【００１８】
カバー２６は、例えば、電子機器本体１の前面枠部１７の側壁に設置されたヒンジ等でなる回動部２７を介して回動自在に連結される支持部２６ａと、支持部２６ａに対向する側端部に設けられたＬ型形状のリブ２６ｂと、操作釦２１を挿入する孔２６ｃを有する樹脂材等で成形されたもので、電子機器の動作時には、回動してタッチパネル１１の前面の所定位置に配設されるようになっている。このカバー２６の裏面には、弾性体２３とシート２４を装着したホルダ２８が取付設置されている。
【００１９】
ホルダ２８は、ハードスイッチ（機械式押釦スイッチ等でなる）の操作クリック感を有するシート２４をスライド自在に装着保持する溝部２８ａと、操作釦２１の押圧動作を復帰させる皿板バネ等でなる弾性体２３を押圧保持するリブ２８ｂと、カバー２６の裏面に取付設置する取付部２８ｃを有する樹脂材等で成形されたものである。
【００２０】
シート２４は、操作釦２１にタッチパネル１１を押圧する半球形状の押圧突起部２５を介して取付設置される取付孔２４ａが設けられ、薄肉で上方が球形状の弾性を有する樹脂材等で成形されたものである。このシート２４は、操作釦２１の非動作時には弾性体２３の反力により、ホルダ２８の溝部２８ａを介して上方に押し上げられて復帰されている。そして、操作釦２１の動作時には操作釦２１が、使用者の指等でＦ１１方向に押圧操作されることにより、シート２４はホルダ２８の溝部２８ａでスライドしながら下方に押し下げられて歪まされ、初期に設定された上方が球状の形状部２４ｂが反転し、下方が球状の形状部２４ｂのものとなり、押圧突起部２５がタッチパネル１１を押圧することになる。タッチパネル１１の押圧される箇所は、その押圧により予め機器に所定の動作がなされるようなスイッチ構造にされている。
【００２１】
これにより、シート２４の球状の形状部２４ｂが上方から下方に向けて切り替わる時に、操作釦２１への操作で、ハードスイッチの操作クリック感が得られることになる。この時、弾性体２３は押圧されて、圧縮された状態にあり、操作釦２１への使用者の指等による押圧が解かれると、弾性体２３の反力により、シート２４が操作釦２１に装着された状態で上方に押し上げられて復帰されることになる。
【００２２】
操作釦２１は、例えば、段差を有する円柱形状、又は角柱形状に樹脂材等で成形されており、弾性体２３とシート２４が装着された状態で、ホルダ２８を介してカバー２６に設置されている。又、操作釦２１には、段差を有する円柱形状の小さい径の円柱外周面２１ａに弾性体２３が挿入装着され、小さい径の円柱先端部にシート２４が半球形状の押圧突起部２５により取付設置されている。この操作釦２１が、使用者の指等でＦ１１方向に押圧操作されることにより、タッチパネル１１の前面の所定位置を操作釦２１に設けられた押圧突起部２５で押圧し、電子機器を動作することになる。
【００２３】
尚、本第１の実施の形態に係るものでは、弾性体２３を介してシート２４を操作釦２１に装着して、操作釦２１への操作で、ハードスイッチの操作クリック感を得るようにすると共に、操作釦２１を元の位置に復帰するようにしているが、これにこだわることなく、弾性力を有するシート２４の形状を、操作釦２１への押圧操作がシート２４の弾性限界内で行われるように設定して、押圧操作後には元の位置に復帰するようにしても良い。
【００２４】
次に、操作釦２１の動作前と動作時における電子機器１０の動作状態について、図２を参照して説明する。
【００２５】
操作釦２１の動作前における電子機器１０の動作状態は、図２（ａ）に示すように、電子機器本体１の前面枠部１７の側壁に設置された回動部２７に連結されたカバー２６（操作釦２１を装着している）が、回動してタッチパネル１１の前面の所定位置に配設された状態にある。この時、操作釦２１は、操作釦２１の円柱外周面２１ａに挿入装着された弾性体２３の反力により押し上げられ、操作釦２１の上面位置Ｓ１１がホルダ２８の溝部２８ａの底部位置から高さＬ１１の位置にある。そして、操作釦２１の小さい径の円柱先端部に押圧突起部２５により取付設置されているシート２４は、弾性体２３の反力により押し上げられた操作釦２１により球状の形状部２４ｂが上方になるように押し上げられた位置にある。尚、カバー２６は、表示画面を広げて見易くするため、通常、開いた状態にしてある。
【００２６】
操作釦２１の動作時における電子機器１０の動作状態は、図２（ｂ）に示すように、操作釦２１が下方向Ｆ１１に押圧操作されることにより、弾性体２３は、圧縮歪まされ、操作釦２１の上面が位置Ｓ１１から位置Ｓ１２に押し下げられ、上面位置Ｓ１２がホルダ２８の溝部２８ａの底部位置から高さＬ１２の位置まで狭められる。そして、シート２４は、押圧操作されて押し下げられた操作釦２１により球状の形状部２４ｂが下方に反転される。又、操作釦２１に設けられた押圧突起部２５の半球形状の先端部は、タッチパネル１１の前面の所定位置Ｐ１１を押圧することにより、タッチパネル１１のプラスチックフィルム１２が押圧歪まされ、プラスチックフィルム１２に設けられた透明抵抗膜１３がガラス板１５に設けられた透明抵抗膜１４に当接スイッチングされ、電子機器が動作することになる。
【００２７】
以上のように、本電子機器によれば、タッチパネルが配設された表示部の前面に設けられた操作部の操作釦を弾性力を備えた突出部を有するシート状に成形することにより、操作釦の押圧操作時に、操作クリック感を得ることが可能となり、品質を向上することができる。
【００２８】
次に、本発明の第２の実施の形態に係る電子機器３０について、図面を参照して説明する。
【００２９】
図３は本発明の第２の実施の形態に係る電子機器３０を示す詳細図で、（ａ）は正面配置図、（ｂ）はＡ−Ａ鋳ｆ面図である。尚、電子機器３０を示す全体構成斜視図は、第１の実施の形態と同様、図１のようになる。
【００３０】
本発明の第２の実施の形態に係る電子機器３０は、第１の実施の形態に係るものに対し、図３に示すように、タッチパネル３１には操作所定領域以外への押圧で誤動作が発生しないために、周辺縁部Ｓ３１と操作所定領域以外の無検知領域Ｓ３２を設定し、この無検知領域Ｓ３２に絶縁シート（又はスペーサ）３７が設けられたものである。従って、本電子機器３０では、タッチパネル３１についてのみ説明し、第１の実施の形態のものと同じ構成品、及び電子機器３０の動作状態については説明を省略する。
【００３１】
タッチパネル３１は、表示部３９に配設されたもので、透明抵抗膜３３を有するプラスチックフィルム３２と、透明抵抗膜３４を有する固定基板のガラス板３５を周辺縁部Ｓ３１に介在されたスペーサ３６と無検知領域Ｓ３２に介在された絶縁シート（又はスペーサ）３７を介して、透明抵抗膜面を対向接着したもので、プラスチックフィルム３２とガラス板３５の二枚一対で構成されている。
【００３２】
無検知領域Ｓ３２は、一例として、図２に示すように、前面枠部１７の側壁に回転自在に装着された操作部２０ａ、２０ｂの各カバー２６のリブ２６ｂの先端がタッチパネル３１を当接押圧し、誤動作を発生させないために設定された領域を示したものである。
【００３３】
無検知領域Ｓ３２における、プラスチックフィルム３２の透明抵抗膜３３とガラス板３５の透明抵抗膜３４の間には、絶縁シート（又はスペーサ）３７が介在されて各透明抵抗膜面が対向した状態で熱接着される。この絶縁シート（又はスペーサ）３７を介在した熱接着は、周辺縁部Ｓ３１へのスペーサ３６を介在した熱接着と一緒の工程で行われる。
【００３４】
尚、タッチパネル３１には、プラスチックフィルム３２とガラス板３５の押圧強度面から、周辺縁部Ｓ３１へのスペーサ３６と無検知領域Ｓ３２への絶縁シート（又はスペーサ）３７以外に、図示していないが、例えば球形状のスペーサが数カ所に介在されている。
【００３５】
これにより、カバー２６のリブ２６ｂの先端がタッチパネル３１を当接押圧しても、絶縁シート（又はスペーサ）３７が介在されているため、透明抵抗膜１３と透明抵抗膜１４がタッチすることなく、誤動作の発生を防止することができる。
【００３６】
尚、本第２の実施の形態に係るものでは、上記のように、抵抗式のものが用いられているが、これにこだわることなく、多数の導電パターンが形成された２組の透明シートからなる透明電極式等の方式を用いても良い。
【００３７】
以上のように、本電子機器によれば、タッチパネルの所定箇所以外への押圧による誤動作を防止し、品質を向上することができる。
【００３８】
次に、本発明の第３の実施の形態に係る電子機器６０について、図面を参照して説明する。
【００３９】
図４は本発明の第３の実施の形態に係る電子機器６０を示す構成配置図である。尚、電子機器６０を示す全体構成斜視図は、第１の実施の形態と同様、図１のようになる。
【００４０】
本発明の第３の実施の形態に係る電子機器６０は、第１の実施の形態に係るものに対し、図４に示すように、タッチパネル６１には操作所定領域以外への押圧で誤動作が発生しないために、予めスペーサを介在して誤動作を防止している周辺縁部Ｓ６１と操作所定領域以外の無検知領域Ｓ６２を設定し、この無検知領域Ｓ６２に対応させた誤動作防止ソフトを制御処理部６７で予めプログラミングしたものである。従って、本電子機器６０では、タッチパネル３１についてのみ説明し、第１の実施の形態のものと同じ構成品、及び電子機器６０の動作状態については説明を省略する。
【００４１】
タッチパネル６１は、表示部に配設されたもので、透明抵抗膜を有するプラスチックフィルムと、透明抵抗膜を有する固定基板のガラス板をスペーサ等を介して、透明抵抗膜面を対向接着したもので、プラスチックフィルムとガラス板の二枚一対で構成されている。このタッチパネル６１は、１例として、専用ペン又は使用者の指等により、Ｘ座標領域とＹ座標領域の１箇所が押圧されると、プラスチックフィルム上の透明抵抗膜とガラス板上の透明抵抗膜とが当接スイッチングされ、１箇所からの座標位置信号が出力される。
【００４２】
タッチパネル６１には、操作所定領域以外への押圧で誤動作が発生しないために、予めスペーサを介在して誤動作を防止している周辺縁部領域Ｓ６１と操作所定領域以外の無検知領域Ｓ６２を設定している。従って、例えば、この無検知領域Ｓ６２内の点Ｐ６１（Ｘ座標領域のＸ６１とＹ座標領域のＹ６１の位置）が押圧されると、その押圧スイッチング信号が、タッチパネル６１上の電極６２、６３、６４、６５からスイッチング回路６６、Ａ／Ｄ変換部を通して制御処理部６７に送られる。制御処理部６７では、この信号が予めプログラミングされた無検知領域Ｓ６２の座標内のものであることが判別され、誤動作が未然に防止されることになる。
【００４３】
これにより、図３に示す第２の実施の形態に係るものと同じように、カバーのリブの先端がタッチパネル６１を当接押圧しても、無検知領域Ｓ６２として予めプログラミングされているため、誤動作の発生を防止することができ、しかも細部にわたり無検知領域を設定できるため、品質をより向上することができる。
【００４４】
尚、本第３の実施の形態に係るものでは、上記のように、抵抗式のものが用いられているが、これにこだわることなく、多数の導電パターンが形成された２組の透明シートからなる透明電極式等の方式を用いても良い。
【００４５】
以上のように、本電子機器によれば、無検知領域を予めプログラミング設定しているため、タッチパネルの所定箇所以外への押圧による誤動作を正確に防止でき、絶縁シートを用いる必要がなくなるのでコストの削減ができる。
【００４６】
次に、本発明の第４の実施の形態に係る電子機器４０について、図面を参照して説明する。
【００４７】
図５は本発明の第４の実施の形態に係る電子機器４０を示す正面配置図で、図６は本発明の第４の実施の形態に係る電子機器４０を示すＢ−Ｂ鋳ｆ面図で、（ａ）は操作釦の動作前の断面図、（ｂ）は操作釦の動作時の断面図である。尚、電子機器４０を示す全体構成斜視図は、第１の実施の形態と同様、図１のようになる。
【００４８】
本発明の第４の実施の形態に係る電子機器４０は、第１の実施の形態に係るものに対し、図５、６に示すように、カバーに操作釦が装着されてなる操作部を用いることなく、タッチパネル４１の上面の操作部に相当する範囲内に、突出部４８が設けられた弾性を有する薄肉の球面形状でなる識別シート４７が装着されたものである。従って、本電子機器４０では、タッチパネル４１に設けられた識別シート４７に関するものについてのみ説明し、第１の実施の形態のものと同じ構成品については説明を省略する。
【００４９】
タッチパネル４１には、タッチパネル４１の両サイドの上面の操作部に相当する範囲内に、タッチパネル４１の所定箇所を押圧する突出部４８が設けられ、押圧動作を復帰させる弾性を有する薄肉の球面形状でなる識別シート４７が装着されている。
【００５０】
タッチパネル４１は、表示部４９に配設されたもので、透明抵抗膜４３を有するプラスチックフィルム４２と、透明抵抗膜４４を有する固定基板のガラス板４５をスペーサ４６等を介して、透明抵抗膜面を対向接着したもので、プラスチックフィルム４２とガラス板４５の二枚一対で構成されている。このタッチパネル４１は、表示部４９に配設された状態で、電子機器本体１の前面枠部１７に支持フレーム１８等を介して設置されている。
【００５１】
識別シート４７は、表示部４９に配設されたタッチパネル４１の両サイドの上面に装着され、電子機器を動作させる操作釦を有する操作部に相当する機能を有したもので、タッチパネル４１の所定箇所を押圧する樹脂材等で成形された突出部４８が取付固定されている。
【００５２】
この識別シート４７は、突出部４８が設置される数箇所（本実施の形態では４箇所）の操作釦部４７ｂが薄肉の球形状に、タッチパネル４１に装着する周囲部４７ａが厚肉の板形状に、それぞれ弾性を有する樹脂材等で一体成形されたものである。これにより、専用ペン又は使用者の指等で操作釦部４７ｂが押圧操作されると、薄肉形状の操作釦部４７ｂが小さい押圧力で先に歪まされるため、厚肉形状の周囲部４７ａとタッチパネル４１との接触面への押圧力は小さなものとなり、識別シート４７を押圧することによるタッチパネル４１への誤動作は防げることになる。
【００５３】
又、識別シート４７は、操作釦部４７ｂの非動作時には、操作釦部４７ｂの弾性による反力で、上方に押し上げられて復帰された状態にある。そして、操作釦部４７ｂの動作時には操作釦部４７ｂが、専用ペン又は使用者の指等でＦ４１方向に押圧操作されることにより、操作釦部４７ｂは弾性限界内で、下方に押し下げられて歪まされ、操作釦部４７ｂに設置された突出部４８がタッチパネル４１を押圧することになる。タッチパネル４１の押圧される箇所は、その押圧により予め機器に所定の動作がなされるようなスイッチ構造にされている。そして、押圧操作後には、弾性限界内で歪まされた操作釦部４７ｂは弾性による反力で元の位置に復帰されることになる。
【００５４】
次に、操作釦部４７ｂの動作前と動作時における電子機器４０の動作状態について、図６を参照して説明する。
【００５５】
操作釦部４７ｂの動作前における電子機器４０の動作状態は、図６（ａ）に示すように、操作釦部４７ｂが設けられた識別シート４７は、タッチパネル４１の前面の所定位置に配設され、操作釦部４７ｂが薄肉の球形状の状態にあり、操作釦部４７ｂの上面位置Ｓ４１が識別シート４７の裏面（タッチパネル４１の表面に相当したもの）から高さＬ４１の位置にある。そして、操作釦部４７ｂに設置された突出部４８は、タッチパネル４１の表面から僅かに離間した所定位置になるように設定されている。
【００５６】
操作釦部４７ｂの動作時における電子機器４０の動作状態は、図６（ｂ）に示すように、操作釦部４７ｂが下方向Ｆ４１に押圧操作されることにより、操作釦部４７ｂは、弾性限界内で圧縮されて凹まされ、操作釦部４７ｂの上面が位置Ｓ４１から位置Ｓ４２に押し下げられ、上面位置Ｓ４２が識別シート４７の裏面（タッチパネル４１の表面に相当したもの）から高さＬ４２の位置まで狭められる。そして、操作釦部４７ｂに設置された突出部４８が、タッチパネル４１の前面の所定位置Ｐ１１を押圧することにより、タッチパネル４１のプラスチックフィルム４２が押圧歪まされ、プラスチックフィルム４２に設けられた透明抵抗膜４３がガラス板４５に設けられた透明抵抗膜４４に当接スイッチングされ、電子機器が動作することになる。
【００５７】
以上のように、本電子機器によれば、カバーに操作釦が装着されてなる操作部を電子機器の前面枠部に装着することなく、タッチパネルの上面の操作部に相当する範囲内に、突出部が設けられた弾性を有する識別シートを装着することにより、電子機器を動作させる操作部と画像を表示する表示画面とが同一タッチパネル面で識別できるため、操作がし易く、構造を簡略化したコスト削減ができる。
【００５８】
次に、本発明の第５の実施の形態に係る電子機器５０について、図面を参照して説明する。
【００５９】
図７は本発明の第５の実施の形態に係る電子機器５０を示す正面配置図で、図８は本発明の第５の実施の形態に係る電子機器５０を示すＣ−Ｃ鋳ｆ面図で、（ａ）はタッチパネルへの押圧動作前の断面図、（ｂ）は指によるタッチパネルへの押圧動作時の断面図、（ｃ）は専用ペンによるタッチパネルへの押圧動作時の断面図である。尚、電子機器５０を示す全体構成斜視図は、第１の実施の形態と同様、図１のようになる。
【００６０】
本発明の第５の実施の形態に係る電子機器５０は、第１の実施の形態に係るものに対し、図７、８に示すように、カバーに操作釦が装着されてなる操作部を用いることなく、タッチパネル５１の上面の操作部に相当する範囲内に、印刷等により識別シート５６が貼付けされたものである。従って、本電子機器５０では、タッチパネル５１に設けられた識別シート５６に関するものについてのみ説明し、第１の実施の形態のものと同じ構成品については説明を省略する。
【００６１】
タッチパネル５１は、表示部５９に配設されたもので、透明抵抗膜５３を有するプラスチックフィルム５２と、透明抵抗膜５４を有する固定基板のガラス板５５をスペーサ５８等を介して、透明抵抗膜面を対向接着したもので、プラスチックフィルム５２とガラス板５５の二枚一対で構成されている。このタッチパネル５１は、表示部５９に配設された状態で、電子機器本体１の前面枠部１７に支持フレーム１８等を介して設置されている。
【００６２】
タッチパネル５１には、タッチパネル５１の両サイドの上面の操作部に相当する範囲内に、操作部であることを識別するための樹脂材等でなる識別シート５６が印刷等により貼付けされている。そして、識別シート５６には、電子機器を動作させる操作釦に相当する機能を有する識別（例えば円形状の色を違えたもの）が複数カ所（本実施の形態では各４カ所に設定している）の位置に、周囲とは相違させて施されている。
【００６３】
これにより、専用ペン又は使用者の指等で操作釦部５７が押圧操作されると、直接、タッチパネル５１が押圧されることになる。又、タッチパネル５１の押圧される箇所は、その押圧により予め機器に所定の動作がなされるようなスイッチ構造にされている。
【００６４】
次に、操作釦部５７の動作前と動作時における電子機器５０の動作状態について、図８を参照して説明する。
【００６５】
操作釦部５７の動作前における電子機器５０の動作状態は、図８（ａ）に示すように、操作釦部５７が設けられた識別シート５６は、タッチパネル５１の前面の所定位置に配設されている。
【００６６】
操作釦部５７への使用者の指５９による動作時における電子機器５０の動作状態は、図８（ｂ）に示すように、操作釦部５７が使用者の指５９により押圧操作されることにより、操作釦部５７は、直接、タッチパネル５１の前面の所定位置Ｐ５１を押圧することになり、タッチパネル５１のプラスチックフィルム５２が押圧歪まされ、プラスチックフィルム５２に設けられた透明抵抗膜５３がガラス板５５に設けられた透明抵抗膜５４に当接スイッチングされ、電子機器が動作することになる。
【００６７】
又、操作釦部５７への専用ペン６１による動作時における電子機器５０の動作状態は、図８（ｃ）に示すように、操作釦部５７が専用ペン６１により押圧操作されることにより、操作釦部５７は、直接、タッチパネル５１の前面の所定位置Ｐ５１を押圧することになり、タッチパネル５１のプラスチックフィルム５２が押圧歪まされ、プラスチックフィルム５２に設けられた透明抵抗膜５３がガラス板５５に設けられた透明抵抗膜５４に当接スイッチングされ、電子機器が動作することになる。この専用ペン６１による押圧操作は、使用者の指５９による押圧操作に対し、タッチパネル５１の前面の所定位置Ｐ５１への押圧範囲を小さくすることができる。
【００６８】
以上のように、本電子機器によれば、カバーに操作釦が装着されてなる操作部を用いることなく、タッチパネルの上面の操作部に相当する範囲内に、印刷等により操作部と操作釦が識別形成された樹脂材でなる識別シートを貼付けるだけにしているので、構造がより簡略化でき、コストの削減が図れる。
【００６９】
【発明の効果】
以上説明した様に、本発明によれば、操作部の操作釦部に弾性を有するシートを設け、タッチパネルの無検知領域に絶縁シート等を介在することにより、操作釦への押圧操作時に操作クリック感が得られると共に、タッチパネルの所定箇所以外への押圧による誤動作が防止でき、品質を向上することができる。
【図面の簡単な説明】
【図１】本発明の実施の形態に係る電子機器を示す全体構成斜視図である。
【図２】本発明の第１の実施の形態に係る電子機器を示す詳細断面図である。
【図３】本発明の第２の実施の形態に係る電子機器を示す詳細図である。
【図４】本発明の第３の実施の形態に係る電子機器を示す配置図である。
【図５】本発明の第４の実施の形態に係る電子機器を示す正面配置図である。
【図６】本発明の第４の実施の形態に係る電子機器を示すＢ−Ｂ’断面図である。
【図７】本発明の第５の実施の形態に係る電子機器を示す正面配置図である。
【図８】本発明の第５の実施の形態に係る電子機器を示すＣ−Ｃ’断面図である。
【符号の説明】
１・・・電子機器本体
１０、３０、４０、５０、６０・・・電子機器
１１、３１、４１、５１、　６１・・・タッチパネル
１２、３２、４２、　５２・・・プラスチックフィルム
１３、３３、４３、　５３・・・透明抵抗膜
１４、３４、４４、５４・・・透明抵抗膜
１５、３５、４５、　５５・・・ガラス板
１６、３６、４６、５８・・・スペーサ
１７・・・前面枠
１８・・・支持フレーム
１９、３９、４９、　５９・・・表示部
２０ａ、２０ｂ・・・操作部
２１・・・操作釦
２３・・・弾性体
２４・・・シート
２５・・・押圧突起部
２６・・・カバー
２７・・・回動部
２８・・・ホルダ
３７・・・絶縁シート
４７・・・識別シート
４８・・・突出部
５７・・・識別シート
６２、６３、６４、　６５・・・タッチパネル６１上の電極
６６・・・スイッチング回路
６７・・・制御処理部
【図１】
2004102813.tif 000003
【図２】
2004102813.tif 000004
【図３】
2004102813.tif 000005
【図４】
2004102813.tif 000006
【図５】
2004102813.tif 000007
【図６】
2004102813.tif 000008
【図７】
2004102813.tif 000009
【図８】
2004102813.tif 000010